(57)【要約】【課題】  充分な強度及び安全性を確保することができるヒータ組立体を提供すること。【解決手段】  ユニット枠体４と、ユニット枠体４内の実質上全域に設けられた金属プレート６と、金属プレート６の背面側に取り付けられた加熱用ヒータ１４と、加熱用ヒータ１４及び金属プレート６の背面側を覆うようにユニット枠体４内に配設された第１中間部材８と、第１中間部材の背面側を覆うようにユニット枠体４に取り付けられたユニット断熱材１２と、金属プレート６の表面側に一体的になるように設けられたユニット壁材４４と、を具備するヒータ組立体。第１中間部材８が電気的絶縁性及び耐火乃至難燃性を有している。また、第１中間部材８とユニット断熱材１２との間には第２中間部材１０が介在され、第２中間部材１０は耐火性を有している。【選択図】  図１
2005315448.tif 000002
【特許請求の範囲】
【請求項１】
ユニット枠体と、前記ユニット枠体内の実質上全域に設けられ、複数の開口を備えた支持プレートと、前記支持プレートの背面側に取り付けられた加熱用ヒータと、前記加熱用ヒータ及び前記支持プレートの背面側を覆うように前記ユニット枠体内に配設された第１中間部材と、前記第１中間部材の背面側を覆うように前記ユニット枠体に取り付けられたユニット断熱材と、前記支持プレートの表面側に一体的になるように設けられたユニット壁材と、を具備し、前記第１中間部材が電気的絶縁性及び耐火乃至難燃性を有していることを特徴とするヒータ組立体。
【請求項２】
前記第１中間部材と前記ユニット断熱材との間には第２中間部材が介在されており、前記第２中間部材は耐火性を有していることを特徴とする請求項１に記載のヒータ組立体。
【請求項３】
前記加熱用ヒータは、プラスチックのシート状フィルムの表面に電熱回路が施された面状ヒータと、前記面状ヒータの背面側に設けられた支持パネルとから構成され、前記面状ヒータの表面側が前記支持プレートの背面側に取り付けられることを特徴とする請求項１又は２に記載のヒータ組立体。
【請求項４】
前記ユニット壁材は、熱伝導性の優れた伝熱用粒子乃至粉末を含んでいることを特徴とする請求項１〜３のいずれかに記載のヒータ組立体。
【請求項５】
前記支持プレートは、複数の開口及び複数の突部を備えた金属プレート、又は複数の開口を備えたラス網から構成されていることを特徴とする請求項１〜４のいずれかに記載のヒータ組立体。
【請求項６】
前記ユニット壁材の表面側にはユニット仕上げ材が設けられていることを特徴とする請求項１〜５のいずれかに記載のヒータ組立体。
【請求項７】
前記ユニット枠体の表面側が保護カバー体で覆われていることを特徴とする請求項１〜６のいずれかに記載のヒータ組立体。
【請求項８】
壁枠体と、前記壁枠体の実質上全域に設けられ、複数の貫通開口及び複数の突部を備えた金属壁プレートと、請求項１〜３のいずれかに記載のヒータ組立体と、壁断熱材と、前記壁枠体の外側壁として機能する外側壁材と、前記壁枠体の内側壁として機能する内側壁材と、を備えており、
前記金属壁プレートの所定部位には取付開口が設けられ、前記取付開口の開口部にはヒータ取付フレームが設けられ、前記ヒータ組立体は前記ヒータ取付フレームに取り付けられて前記取付開口に配置されており、
前記金属壁プレート及び前記ヒータ組立体の表面側に前記内側壁材が設けられ、それらの背面側に前記壁断熱材を介して前記外側壁材が設けられていることを特徴とする建築用壁体。
【請求項９】
前記金属壁プレートに設けられた前記取付開口に関連して補強部材が設けられ、前記補強部材は前記壁枠体の対向する側枠部材間に設けられていることを特徴とする請求項８記載の建築用壁体。
【請求項１０】
前記ヒータ組立体の前記ユニット枠体と前記ヒータ取付フレームとの間には、電気的絶縁特性を有する絶縁シートが介在されていることを特徴とする請求項８又は９に記載の建築用壁体。
【請求項１１】
前記ヒータ組立体の前記ユニット枠体は、ブラスチック製の固定用ねじを用いて前記ヒータ取付フレームに螺着されていることを特徴とする請求項８〜１０のいずれかに記載の建築用壁体。
【発明の詳細な説明】
【技術分野】
【０００１】
本発明は、居室などを暖房するために用いるヒータ組立体及びこのヒータ組立体を備えた建築用壁体に関する。
【背景技術】
【０００２】
居室などの壁、空間を仕切るパーティションなどに取り付けて使用するヒータ組立体として、電気的に加熱される面状ヒータと、この面状ヒータの片側に配設された耐熱性表面層と、面状ヒータの他側に配設された断熱材と、を備えたものが知られている（例えば、特許文献１参照）。このヒータ組立体では、面状ヒータの他面側に断熱材が設けられているので、ヒータ組立体からの熱が、このヒータ組立体を取り付けた壁などに伝わり難く、またその表面側に耐熱性表面層が設けられているので、面状ヒータからの熱に強く、安全に使用することができる。
【０００３】
【特許文献１】特開平１０−３３９４６号公報
【発明の開示】
【発明が解決しようとする課題】
【０００４】
しかしながら、上述したヒータ組立体には、次の通りの解決すべき問題がある。第１に、面状ヒータの他側（居室の壁などに接触する背面側）は単に断熱材で覆われているのみであるので、充分な安全性を確保することができない。第２に、面状ヒータの片側（居室から見える表面側）は石膏ボード、耐熱性合板、耐熱性クロスなどの耐熱性表面層で覆われるが、このような素材は洋室には調和するが、和室には調和せず、周囲とのマッチングにおいて使用が制限される。第３に、面状ヒータは断熱材と耐熱性表面層でサンドイッチされる構成であるので、充分な強度が確保されない。
【０００５】
本発明の目的は、充分な強度及び安全性を確保することができるヒータ組立体を提供することである。
本発明の他の目的は、種々の空間にデザイン的に調和するヒータ組立体を提供することである。
【０００６】
本発明の更に他の目的は、外壁用の壁体として寒冷地において好都合に用いることができる建築用壁体を提供することである。
【課題を解決するための手段】
【０００７】
本発明の請求項１に記載のヒータ組立体は、ユニット枠体と、前記ユニット枠体内の実質上全域に設けられ、複数の開口を備えた支持プレートと、前記支持プレートの背面側に取り付けられた加熱用ヒータと、前記加熱用ヒータ及び前記支持プレートの背面側を覆うように前記ユニット枠体内に配設された第１中間部材と、前記第１中間部材の背面側を覆うように前記ユニット枠体に取り付けられたユニット断熱材と、前記支持プレートの表面側に一体的になるように設けられたユニット壁材と、を具備し、前記第１中間部材が電気的絶縁性及び耐火乃至難燃性を有していることを特徴とする。
【０００８】
また、本発明の請求項２に記載のヒータ組立体では、前記第１中間部材と前記ユニット断熱材との間には第２中間部材が介在されており、前記第２中間部材は耐火性を有していることを特徴とする。
【０００９】
また、本発明の請求項３に記載のヒータ組立体では、前記加熱用ヒータは、プラスチックのシート状フィルムの表面に電熱回路が施された面状ヒータと、前記面状ヒータの背面側に設けられた支持パネルとから構成され、前記面状ヒータの表面側が前記支持プレートの背面側に取り付けられることを特徴とする。
【００１０】
また、本発明の請求項４に記載のヒータ組立体では、前記ユニット壁材は、熱伝導性の優れた伝熱用粒子乃至粉末を含んでいることを特徴とする。
また、本発明の請求項５に記載のヒータ組立体では、前記支持プレートは、複数の開口及び複数の突部を備えた金属プレート、又は複数の開口を備えたラス網から構成されていることを特徴とする。
【００１１】
また、本発明の請求項６に記載のヒータ組立体では、前記ユニット壁材の表面側にはユニット仕上げ材が設けられていることを特徴とする。
また、本発明の請求項７に記載のヒータ組立体では、前記ユニット枠体の表面側が保護カバー体で覆われていることを特徴とする。
【００１２】
また、本発明の請求項８に記載の建築用壁体は、壁枠体と、前記壁枠体の実質上全域に設けられ、複数の貫通開口及び複数の突部を備えた金属壁プレートと、請求項１〜３のいずれかに記載のヒータ組立体と、壁断熱材と、前記壁枠体の外側壁として機能する外側壁材と、前記壁枠体の内側壁として機能する内側壁材と、を備えており、
前記金属壁プレートの所定部位には取付開口が設けられ、前記取付開口の開口部にはヒータ取付フレームが設けられ、前記ヒータ組立体は前記ヒータ取付フレームに取り付けられて前記取付開口に配置されており、
前記金属壁プレート及び前記ヒータ組立体の表面側に前記内側壁材が設けられ、それらの背面側に前記壁断熱材を介して前記外側壁材が設けられていることを特徴とする。
【００１３】
また、本発明の請求項９に記載の建築用壁体では、前記金属壁プレートに設けられた前記取付開口に関連して補強部材が設けられ、前記補強部材は前記壁枠体の対向する側枠部材間に設けられていることを特徴とする。
【００１４】
また、本発明の請求項１０に記載の建築用壁体では、前記ヒータ組立体の前記ユニット枠体と前記ヒータ取付フレームとの間には、電気的絶縁特性を有する絶縁シートが介在されていることを特徴とする。
【００１５】
また、本発明の請求項１１に記載の建築用壁体では、前記ヒータ組立体の前記ユニット枠体は、ブラスチック製の固定用ねじを用いて前記ヒータ取付フレームに螺着されていることを特徴とする。
【発明の効果】
【００１６】
本発明の請求項１に記載のヒータ組立体によれば、ユニット枠体と、このユニット枠体内の実質上全域に設けられる支持プレートを備えているので、支持プレートによって枠体の変形が防止され、充分な強度を確保することができる。また、加熱用ヒータを取り付けた支持プレートの背面側に、電気的絶縁性及び耐火乃至難燃性を有する第１中間部材が配設され、この第１ヒート状部材の背面側にユニット断熱材が配設されるので、所望の断熱効果が得られるとともに、所望の電気的絶縁及び耐火乃至難燃性が得られる。更に、支持プレートの表面側には、複数の貫通開口及び複数の突部と一体的となるようにユニット壁材が設けられるので、このユニット壁材として所望のもの、例えば壁土、セメントなどを選定することによって、表面側も電気的絶縁性及び耐火性も確保でき、またこのような壁材を用いることによって、その表面に聚楽土を塗ったり、クロス、合板などで表面仕上げすることができ、和室、洋室にも調和するヒータ組立体とすることができる。
【００１７】
また、本発明の請求項２に記載のヒータ組立体によれば、第１中間部材とユニット断熱材との間に、耐火性を有する第２中間部材が介在されているので、ヒータ組立体の背面側に対して充分な耐火性能が確保でき、ヒータ組立体を取り付けたり、掛けたりする壁面に対する安全性を確保することができる。
【００１８】
また、本発明の請求項３に記載のヒータ組立体によれば、加熱用ヒータは面状ヒータ及びこの面状ヒータを支持する支持パネルから構成され、支持パネルが金属プレートの背面側に取り付けられるので、この面状ヒータを支持プレートに確実に取り付けることができる。
【００１９】
また、本発明の請求項４に記載のヒータ組立体によれば、ユニット壁材に熱伝導性に優れた伝熱用粒子乃至粉末が含まれているので、加熱用ヒータからの熱が支持プレート及びユニット壁材中の伝熱用粒子乃至粉末を介して表面側に伝わり、ヒータ組立体で暖房する空間を効率良く温めることができる。
【００２０】
また、本発明の請求項５に記載のヒータ組立体によれば、支持プレートが複数の開口及び突部を有する金属プレート、又は複数の開口を有するラス網から構成されているので、充分な強度を有するとともに、壁土、セメントを塗ったときに一体となってその剥がれを防止することができる。
【００２１】
また、本発明の請求項６に記載のヒータ組立体によれば、ユニット壁材の表面側にユニット仕上げ材が設けられているので、ヒータ組立体の外観をきれいに仕上げ、使用する空間に調和したデザインにすることができる。例えば、和室で使用する場合にはユニット仕上げ材として例えば聚楽土を、また洋室で使用する場合にはユニット仕上げ材として例えば合板、クロスを用いることができる。
【００２２】
また、本発明の請求項７に記載のヒータ組立体によれば、ユニット枠体の表面側が保護カバー体で覆われているので、赤ん坊、子供などがヒータ組立体の表面のユニット壁材に直接的に触れることを防止することができ、充分な安全性を確保することができる。
【００２３】
また、本発明の請求項８に記載の建築用壁体によれば、壁枠体と、この壁枠体の実質上全域に設けられる金属壁プレートとを備えているので、金属壁プレートによって壁枠体の変形が防止され、充分な強度を確保することができる。また、金属壁プレートの取付開口の開口部に設けられたヒータ取付フレームにヒータ組立体が取り付けられるので、比較的簡単な構成でこのヒータ組立体を取り付けることができる。また、ヒータ組立体を取付開口内に配置する構成であるので、建築用壁体の全体の厚さを薄くすることができ、所定の建築基準に適合した建築用壁体として提供することができる。
【００２４】
寒冷地では冬季に外気温が非常に下がり、壁断熱材のみで外気を遮断しようとすると壁断熱材の厚さを厚くしなければならず、このように厚くすると壁体自体の厚さが厚くなって所定の建築基準に適合しなくなる。これに対して、ヒータ組立体を内蔵する壁体においては、ヒータ組立体の熱によって外部から僅かに浸入する外気を温め、壁断熱材及びヒータ組立体の熱によって断熱効果を得るために、壁断熱材としての厚さが厚くなくても充分な断熱特性が得られ、所定の建築基準に適合した建築用壁体を適用することができる。
【００２５】
また、本発明の請求項９に記載の建築用壁体によれば、金属壁プレートの取付開口に関連して補強部材が設けられているので、取付開口による強度低下をこの補強部材で補って所望の強度を保つことができる。
【００２６】
また、本発明の請求項１０に記載の建築用壁体によれば、ヒータ組立体のユニット枠体とヒータ取付フレームとの間に絶縁シートが介在されているので、金属壁プレートとヒータ組立体との間の充分な電気的絶縁を確保することができる。
【００２７】
また、本発明の請求項１１に記載の建築用壁体によれば、ユニット枠体はプラスチック製の固定用ねじによりヒータ取付フレームに取り付けられているので、この固定用ねじを介してのユニット枠体からヒータ取付フレームへの熱伝達を抑えることができる。
【発明を実施するための最良の形態】
【００２８】
以下、添付図面を参照して、本発明に従うヒータ組立体及びこれを備えた建築用壁体の一実施形態について説明する。
ヒータ組立体
まず、図１〜図４を参照して、本発明に従うヒータ組立体の一実施形態について説明する。図１は、一実施形態のヒータ組立体を示す断面図であり、図２は、図１のヒータ組立体の主要構成部を分解して示す分解斜視図であり、図３は、図１のヒータ組立体の一部を拡大して示す部分拡大断面図であり、図４は、図１のヒータ組立体の前面側に保護カバー体を装着した状態を示す断面図である。
【００２９】
図１及び図２において、図示のヒータ組立体２は、ユニット枠体４と、このユニット枠体４に取り付けられた金属プレート６（支持プレートを構成する）と、金属プレート６の背面側に配設された第１中間部材８、第２中間部材１０及びユニット断熱材１２と、金属プレート６に取り付けられた加熱用ヒータ１４とを備えている。ユニット枠体４は矩形状に形成され、断面形状がＬ字状の一対のアングル材１６ａ，１６ｂを溶接などにより接合することによって、幅方向中央部に内側に突出する当接部１８を有する枠部材２０が構成され、かかる枠部材２０の端部を溶接などにより接合することによってユニット枠体４が形成される。尚、アングル材１６ａ，１６ｂとしては、例えば、鋼材、アルミニウム材、ステンレス鋼材などが用いられる。
【００３０】
金属プレート６はユニット枠体４の内周形状に対応したプレート本体２２を備え、その外周部には表面側（図１〜図３において右側）に突出する取付フランジ２４が設けられ、この取付フランジ２４が溶接などによりユニット枠体４の内側に一体的に固定される。この形態では、金属プレート６はユニット枠体４の表面側の開口部、換言すると、表面側のアングル材１６ｂの一端部に配設されている。このようにユニット枠体４の実質上全域に金属プレート６を設けることによって、この金属プレート６がユニット枠体４の変形を防止し、ユニット枠体４の強度、剛性を高めることができる。
【００３１】
このプレート本体２２には、複数の貫通開口２６及び複数の突部２８が設けられている。この形態では、プレート本体２２の一部を打ち抜き折曲して突部２８を形成しているので、各突部２８に対応して開口２９が形成されている。複数の貫通開口２６は、プレート本体２２の上部に上下方向及び横方向に間隔をおいて設けられ、また複数の突部２８は、プレート本体２２の下部に上下方向及び横方向に間隔をおいて設けられ、これら突部２８は基部から先端に向けてユニット枠体４の表面側（即ち、正面側）に傾斜して延びている。尚、貫通開口２６及び突部２８は、上述したように設ける必要はなく、例えば貫通開口２６及び突部２８を上下方向に交互に設けるようにしてもよく、或いはこれらを横方向に交互に設けるようにしてもよく、プレート本体２２に適宜組み合わせて設けることができる。
【００３２】
加熱用ヒータ１４は、プラスチックのシート状フィルム３０の表面に電熱回路３２が施された面状ヒータ３４と、この面状ヒータ３４の背面側に配設された支持パネル３６から構成されている。支持パネル３６は、例えば難燃性の発泡プラスチックなどから形成され、接着剤、両面テープなどを用いてその表面に面状ヒータ３４が取り付けられる。
【００３３】
この実施形態では、金属プレート６に上下方向に間隔をおいて二つの加熱用ヒータ１４が取り付けられる（図１、図３参照）。各加熱用ヒータ１４の４角部には取付貫通孔３８が設けられ、金属プレート６の所定部位には雌ねじ孔４０が設けられ、取付用ねじ（図示せず）を取付貫通孔３８を通して雌ねじ孔４０に螺着することによって、加熱用ヒータ１４が金属プレート６の背面側に取り付けられる。この取付状態においては、支持パネル３６によって面状ヒータ３４が金属プレート６の背面に密着させれ、これによって、面状ヒータ３４の発生熱を金属プレート６に効率良く伝達することができる。尚、この実施形態では、金属プレート６に加熱用ヒータ１４を二つ取り付けているが、ヒータ組立体２及び加熱用ヒータ１４の大きさ、ヒータ組立体２の暖房能力などによって、取り付ける加熱用ヒータ１４の個数を適宜設定することができる。
【００３４】
第１中間部材８は、電気的絶縁性及び耐火乃至難燃性を有する材料、例えばプラスチックの薄いボード状部材から構成されている。この第１中間部材８は、ユニット枠体４の当接部１８の内周形状に対応し、図１に示すように、当接部１８内に嵌め込むようにして設けられ、取り付けた状態において、金属プレート６及び加熱用ヒータ１４の背面側を覆い、ヒータ組立体２の背面側に対する電気的絶縁特性及び耐火乃至難燃性特性を確保する。尚、第１中間部材８を加熱用ヒータ１４の支持パネルとしても機能させ（従って、支持パネル３６を省略する）、面状ヒータ３４を第１中間部材８の表面に取り付け、この第１中間部材８を取付用ねじ（図示せず）を用いて金属プレート６に固定するようにしてもよい。
【００３５】
第２中間部材１０は、耐火性を有する耐火マットなどから形成され、第１中間部材８を覆うようにその背面側（具体的には、アングル部材１６ａの底部）に配設される。この実施形態では、第２中間部材１０は第１中間部材８よりも幾分大きく、ユニット枠体４の当接部１８に当接するようにユニット枠体４の背面側から取り付けられる。このように第２中間部材１０を配設することによって、ヒータ組立体２の背面側に対する耐火性を更に高め、使用上の充分な安全性を確保することができる。
【００３６】
ユニット断熱材１２は断熱特性を有する発泡プラスチックなどから形成され、第２中間部材１０を覆うようにその背面側に配設される。この実施形態では、ユニット断熱材１２は第２中間部材１０と実質上同じ大きさであり、第２中間部材１０をユニット枠体４の当接部１８に押し付けるようにユニット枠体４の背面側から取り付けられる。各アングル部材１６ａには長手方向に間隔をおいて貫通孔４０が設けられ、取付用ねじ４２（図３参照））を貫通孔４０を通してユニット断熱材１２の側面に螺着することによって、ユニット断熱材１２がアングル部材１６ａ（即ち、ユニット枠体４）に取り付けられ、第２中間部材１０は、このユニット断熱材１２とユニット枠体４の当接部１８との間に挟持固定される。このようにユニット断熱材１２を設けることによって、ユニット枠体４の背面側に対する所望の断熱効果が得られ、加熱用ヒータ１４の発生熱がヒータ組立体２の背面側に伝達するのを防止することができる。
【００３７】
ユニット枠体４に固定された金属プレート６の表面側（正面側）には、ユニット壁材４４が設けられる。ユニット壁材４４としては壁土、軽量セメントなどが用いられ、金属プレート６の表面側に例えば塗り付けるようにして設けられる。このように設けられるユニット壁材４４は、複数の貫通開口２６に入り込み、また複数の突部２８の周囲を覆うとともに、それらの開口２９に入り込んで金属プレート６と一体的となり、金属プレート６の表面側に所要の通りに取り付けられる。
【００３８】
このユニット壁材４４には、熱伝導特性の優れた伝熱用粒子乃至粉末を混入するのが望ましい。伝熱用粒子乃至粉末としては、鉄粉などの金属粉（又は粒子）を用いることができ、このような粒子乃至粉末を混入することによって、熱伝導性を高め、ヒータ組立体２による暖房効率を高めることができる。
【００３９】
このユニット壁材４４の表面側（即ち、正面側）には、必要に応じてユニット仕上げ材（図示せず）が設けられる。ユニット仕上げ材は、例えば、壁土の表面仕上げ用としての聚楽土、装飾用クロス材、装飾用合板などであり、このような仕上げ材を設けることによって、ヒータ組立体２の装飾性を高め、使用空間との調和を図ることができる。尚、合板などにおいては、装飾の一つとしてその表面に印刷を施すようにしてもよい。このようなヒータ組立体２の代表的なサイズは、６００〜７００ｍｍ（縦）×６００〜７００ｍｍ（横）×５０〜６０ｍｍ（厚さ）程度である。
【００４０】
ヒータ組立体２の装飾性を高めるために、更に、ユニット枠体４の外周面に、例えば木目調の装飾が施された装飾合板４８が設けられ、また装飾合板４８及びユニット枠体４の一端面（正面側端面）に、装飾合板４８と同様の装飾が施された装飾合板５０が設けられ、これら装飾合板４８，５０は、例えば接着剤により固定される。
【００４１】
また、ヒータ組立体２の使い勝手を向上させるために、ユニット枠体４の上端部に吊下げ用ワイヤ（又はロープ、チェーンなど）を取り付けるようにしてもよい。吊下げ用ワイヤなどを設けた場合、柱、壁などに係止フックを取り付け、この係止フックに吊下げワイヤなどを吊り下げることによって、所望の任意の場所で用いることが可能となる。尚、各加熱用ヒータ１４の電熱回路３２は、図示していないが、コネクタに電気的に接続され、このコネクタ及び電気コードを介して電気プラグに電気的に接続される。従って、居間などに設置された電源コンセント（図示せず）に電気プラグを電気的に接続することによって、商用電源からの電気が加熱用ヒータ１４に供給され、加熱用ヒータにより暖房することができる。
【００４２】
このヒータ組立体２においては、電源コンセントからの電気によって加熱用ヒータ１４が付勢されると、加熱用ヒータ１４からの熱が金属プレート６を介してユニット壁材４４に伝達され、このユニット壁材４４の表面、即ちヒータ組立体２の正面から周囲に放熱され、かかる放熱によって周囲空間を温めることができる。このようなヒータ組立体２は、上述したような室内の暖房に加えて、室内、押入れなどの湿気防止、結露防止などにも用いることができる。
【００４３】
このようなヒータ組立体２においては、加熱用ヒータ１４からの熱による事故を防止するために、必要に応じて、図４に示すように、ユニット枠体４の前面側に保護カバー体５２が設けられる。保護カバー体５２は、ユニット枠体４に対応した形状のカバー枠体５４を備え、このカバー枠体５４の一端側（図４において左端部側）がユニット枠体４に被嵌され、カバー枠体５４の他端側は、ユニット枠体４から前面側に突出しており、この突出端部内に、上下方向に間隔をおいて複数のガラリプレート５６が配設されている。複数のガラリプレート５６は、前面側に向けて下方に直線状に傾斜して延び、ユニット枠体４の前面を覆うように構成されている。このような保護カバー体５２は、取付用ねじなどによってユニット枠体４に固定され、このような保護カバー体５２を取り付けることによって、赤ん坊、子供などが手でヒータ組立体２のユニット壁材４４の表面を直接的に触ることを防止することができ、火傷などに対する一層の安全性を確保することができる。
【００４４】
上述した実施形態では、ヒータ組立体２外形を矩形状に形成しているが、矩形状に限定されず、菱形、六角形などの適宜の形状に形成することができる。
また、上述した実施形態では、支持プレートとして複数の貫通開口２６及び突部２８を有する金属プレート６を用いているが、金属プレート６に代えて、複数の開口を有するラス網を用いるようにしてもよい。ラス網とは、例えば亜鉛鋼板などに打抜き加工を施して網状に形成したものであり、このようなラス網を使用しても充分な強度を確保できるとともに、壁土などが開口に入り込んで一体的にすることができる。
【００４５】
建築用壁体
次に、図５〜図１０を参照して、上述したヒータ組立体を備えた建築用壁体について説明する。図５は、実施形態の建築用壁体を用いた施工法を説明するための簡略説明図であり、図６は、図５の建築用壁体の一つを示す断面図であり、図７〜図１０は、図５及び図６の建築用壁体を製作するときの作業工程を説明するための簡略図である。
【００４６】
図６において、この建築用壁体１０２は、矩形状の壁枠体１０４、金属壁プレート１０６及び壁断熱材１０８を備え、金属壁プレート１０６の背面側に上述したヒータ組立体２が取り付けられている。尚、この建築用壁体１０２では、ヒータ組立体２が内蔵される構成となるために、図１に示す形態のもの（或いは、図１に示す形態のものから装飾合板４８，５０を省略したもの）が用いられる。
【００４７】
壁枠体１０４は、ヒータ組立体２のユニット枠体４と略同様に、例えばアングル材１１０の端部を溶接接合することによって形成され、このユニット枠体１０４の表面側（即ち、図６において下側である前面側）の実質上全域に、ユニット枠体４と略同様にして金属壁プレート１０６が溶接接合される。金属壁プレート１０６は、ユニット枠体１０４の金属プレート１０６と実質上同一の構成であり、複数の貫通開口及び突部（図示せず）が設けられている。
【００４８】
壁枠体１０４の背面側（即ち、図６において上側である背面側）には、その実質上全域に網体１１２が設けられる。網体１１２は、例えばラス網１１４に補強部材（図示せず）を溶接接合することによって形成され、網体１１２の補強部材が壁枠体１０４に溶接接合され、このようにして壁枠体１０４、金属壁プレート１０６及び網体１１２が一体的になるように接合される。
【００４９】
壁断熱材１０８は、金属壁プレート１０６と網体１１２のラス網１１４との間の空間に配設される。壁断熱部材１０８は発泡ウレタンなどの断熱特性を有する材料から形成され、このような壁断熱材１０８を金属壁プレート１０８の背面側に配設することによって、所望の断熱効果が得られる。
【００５０】
壁枠体１０４の背面側（壁体１０２の外壁側）には外側壁材１１６が設けられ、この外側壁材１１６は、後述するように、建造物の外側壁として機能する。また、壁枠体１０４の表面側（即ち、正面側）には内側壁材１１８が設けられ、この内側壁材１１８は建造物の内側壁として機能する。
【００５１】
外側壁材１１６及び内側壁材１１８は、例えば、次のようにして設けられる。即ち、図示していないが、所定位置に設置された定盤の上に、外壁模様が施された転写シートを載置し、この転写シートの上に外型枠を載置する。そして、転写シートと壁断熱材１０８との間に外壁用骨材（例えば、ポルトランドセメント、マイクロシリカ、シラスバルーン、ガラス繊維、砂、減水剤を混合した水などを含む）を打設する。次に、外枠体と同様にして内型枠を載置し、金属壁プレート１０６の表面側に内壁用骨材（例えば、ポルトランドセメント、マイクロシリカ、フヨーライト（登録商標）、シラスバルーン、ガラス繊維、減水剤を混合した水などを含む）を打設する。このように外壁用骨材及び内壁用骨材を打設した後、その状態で室内で７〜１０時間程度乾燥させ、その後、外型枠及び内型枠を外す。このように外すと、転写シートの外壁模様が外側壁材１１６の表面（外面）に転写され、図６に示す通りの建築用壁体１０２が形成される。しかる後、自然環境下で２０日間以上エイジングを行って歪取りを行い、このようにして建築用壁体１０２が完成する。この建築用壁体１０２においては、外壁用骨材が網体１１２に入り込むので、外側壁材１１６は壁枠体１０４及び網体１１２に強固に固定される。また内壁用骨材が金属壁プレート１０６の複数の貫通開口に入り込み、また複数の突部の周囲を覆うので、内側壁材１１８は壁枠体１０４及び金属壁プレート１０６に強固に固定される。建築用壁体１０２の基本的構成並びに外側壁材１１６及び内側壁材１１８の打設方法については、特開平９−２９６５３１号公報に開示されたものと実質上同一であり、それ故に、それらの詳細については特開平９−２９６５３１号公報を参照されたい。尚、内側壁材１１８については、図６に示すよいうに施工して建造物に取り付けた後、金属壁プレート１０６の表面側に壁土を塗り、この壁土を内側壁とするようにしてもよい。
【００５２】
この建築用壁体１０２には、例えば、図７〜図１０（図７〜図１０においては、金属壁プレート１０６を簡略化して示している）に示すようにしてヒータ組立体２が取り付けられる。壁枠体１０４に金属壁プレート１０６を接合する前の段階で、図７に示すように、金属壁プレート１０６の所定部位に矩形状の取付開口１２２を形成する。この取付開口１２２は例えばカッター（図示せず）で切断することによって簡単に形成することができ、その形状はヒータ組立体２の外形に対応するように形成される。
【００５３】
次に、図８に示すように、金属壁プレート１０６の表面側における取付開口１２２の開口部にヒータ取付フレーム１２４を取り付ける。この形態では、取付開口１２２の周囲にアングル材１２６が例えば固定用ねじ１２８によって取り付けられ、これらアングル材１２６がヒータ取付フレーム１２４を構成する。
【００５４】
次いで、図９に示すように、ヒータ取付フレーム１２４にヒータ組立体２を取り付ける。この取付けは、例えば固定用ねじ１３０をヒータ取付フレーム１２４を通してヒータ組立体２に螺着することによって行うことができ、このように取り付けると、ヒータ組立体２は金属壁プレート１０６の取付開口１２２内に配置され、このように配置することによって、建築用壁体１０２の厚さを薄く保つことができる。ヒータ組立体２の取付けに固定用ねじ１３０としてプラスチック製のねじを用いることによって、ヒータ組立体２から金属壁プレート１０６への熱伝達を抑えることができる。このとき、ヒータ取付フレーム１２４の内周面とヒータ組立体２の外周面と間に、電気的絶縁特性を有する絶縁シート（図示せず）を介在させるのが望ましく、このように構成することによって、ヒータ組立体２を金属壁プレート１０６から電気的絶縁状態に保つことができ、使用上の安全性を高めることができる。
【００５５】
この実施形態では、取付開口１２２の開口部の全周にアングル材１２６を設けているが、例えば、この開口部の対向する部位（横方向に対向する部位又は上下方向に対向する部位）にアングル材１２６を設け、対向する一対のアングル材１２６間にヒータ組立体２を取り付けるようにしてもよい。
【００５６】
このようにヒータ組立体２を取り付けた後、図１０に示すように、金属壁プレート１０６を壁枠体１０４に接合し、金属壁プレート１０６及び壁枠体１０４を一体的構造とする。その後、壁枠体１０４の対向する一対の側枠部材１３２（上下方向に延びる長い方の側枠部材）間に補強部材１３４を溶接などにより接合する。この補強部材１３４は、金属壁プレート１０６の取付開口１２２に関連してその近傍に設けるのが好ましく、取付開口１２２を設けたことによる強度低下を補強部材１３４によって補強し、壁体１０２の強度アップを図っている。
【００５７】
このように形成した後、図６から理解されるように、壁枠体１０４の背面側に上述した網体１１２を接合し、その後、上述したようにして外側壁材１１６及び内側壁材１１８を所要の通りに打設し、このようにして図６に示す建築用壁体１０２が製作される。
【００５８】
尚、上述した例では、金属壁プレート１０６にヒータ組立体２を取り付け、その後この金属壁プレート１０６を壁枠体１０４に接合しているが、これとは反対に、金属壁プレート１０６を壁枠体１０４に接合し、その後この金属壁プレート１０６にヒータ組立体２を取り付けるようにしてもよい。
【００５９】
このように製作された建築用壁体１０２は、図５及び図６に示すように、木造家屋などの壁材として好都合に用いることができ、軽量で、強度が大きく、施工も容易なものとして、またヒータ組立体２を内蔵しているので断熱効果が優れ、従来と同じ厚さであっても寒冷地の寒さにも充分対応できるものとして提供することができる。
【００６０】
建築用壁体は、家屋の例えば一階部分については、柱１４２、胴差し１４４及び土台１４６の間に嵌め込んで用いられ、この例では下部壁体１４８、中間壁体１５０及び上部壁体１５２の順に組み付けられ、下部壁体１４８としてヒータ組立体２を内蔵した上記壁体１０２が用いられ、中間壁体１５０及び上部壁体１５２としてヒータ組立体２を内蔵しない壁体（図示していないが、図６に示す壁体１０２からヒータ組立体２を除いたもの）が用いられる。また二階部分については、柱１４２、桁１５４及び胴差し１４４の間に嵌め込んで用いられ、一階部分と同様に、下部壁体１４８（ヒータ組立体２を内蔵）、中間壁体１５０及び上部壁体１５２の順に組み付けられる。このように一階部分（及び二階部分）については、下側の下部壁体１４８にヒータ組立体２が内蔵されているので、ヒータ組立体２により温められた温風が上方に流れるようになり、従って、下部壁体１４８としてヒータ組立体２を内蔵するものを用いることによって、一階部分（及び二階部分）の壁体内部をある程度温めることができ、温風を利用して家屋の壁体の断熱特性を高め、従来と同様の厚さであっても優れた断熱効果が得られ、特に、寒冷地用の壁体として好都合に適用することができる。
【００６１】
尚、上述した適用例では、下部壁体１４８にヒータ組立体２を内蔵するものを用いているが、必要に応じて、下部壁体１４８及び中間壁体１５０にヒータ組立体２を内蔵するものを用いることができる。
【００６２】
以上、本発明に従うヒータ組立体及びこれを備えた建築用壁体の実施形態について説明した、本発明はかかる実施形態に限定されるものではなく、本発明の範囲を逸脱することなく種々の変形乃至修正が可能である。
【図面の簡単な説明】
【００６３】
【図１】一実施形態のヒータ組立体を示す断面図である。
【図２】図１のヒータ組立体の主要構成部を分解して示す分解斜視図である。
【図３】図１のヒータ組立体の一部を拡大して示す部分拡大断面図である。
【図４】図１のヒータ組立体の前面側に保護カバー体を装着した状態を示す断面図である。
【図５】建築用壁体を用いた施工法を説明するための簡略説明図である。
【図６】図５の施工法で用いた建築用壁体の一つを示す断面図である。
【図７】金属壁プレートに取付開口を形成した状態を示す簡略図である。
【図８】取付開口の開口部にヒータ取付フレームを取り付けた状態を示す簡略図である。
【図９】ヒータ取付フレームにヒータ組立体を取り付けた状態を示す簡略図である。
【図１０】壁枠体に金属壁フレームを取り付けた状態を示す簡略図である。
【符号の説明】
【００６４】
２  ヒータ組立体
４  ユニット枠体
６  金属プレート
８  第１中間部材
１０  第２中間部材
１２  ユニット断熱材
１４  加熱用ヒータ
３４  面状ヒータ
４４  ユニット壁材
５４  保護カバー体
１０２  建築用壁体
１０４  壁枠体
１０６  金属壁プレート
１０８  壁断熱材
１１２  網体
１２２  取付開口
１２４  ヒータ取付フレーム
【図１】
2005315448.tif 000003
【図２】
2005315448.tif 000004
【図３】
2005315448.tif 000005
【図４】
2005315448.tif 000006
【図５】
2005315448.tif 000007
【図６】
2005315448.tif 000008
【図７】
2005315448.tif 000009
【図８】
2005315448.tif 000010
【図９】
2005315448.tif 000011
【図１０】
2005315448.tif 000012